(57)【要約】【課題】生ゴミ処理機の排気経路に設けるフィルターのメンテナンス性を良くすると共に、長期間にわたって目詰まりを生じることがなく、また、フィルター装置をコンパクトなものにする。【解決手段】パンチングメタル等から構成する周面に通気孔を有する円筒状の枠体（２６）の外周に、平板状のフィルター（２２）を巻き付けるか、円筒のフィルター（２２）を装着して、処理槽（７）  から排気ファン（１８）によって機外に排出される排気中の粉塵等を捕集する。【選択図】        図６
2004267921.tif 000002
【特許請求の範囲】
【請求項１】
周面に通気孔を有する円筒状の枠体（２６）の外周に、円筒又は平板状のフィルター（２２）を装着又は円筒状に巻き付けて、処理槽（７）  から排気ファン（１８）によって機外に排出される排気中の粉塵等を、当該フィルター（２２）によって捕集することを特徴とする生ゴミ処理機のフィルター装置。
【発明の詳細な説明】
【０００１】
【発明の属する技術分野】
本発明は、生ゴミ処理機の排気経路に設けるフィルター装置に関する。
【０００２】
【従来の技術】
従来、この種生ゴミ処理機に排気経路を設け、該排気経路中に平板状のフィルターを備え、このフィルターによって排気中に含まれる粉塵等を捕集・除去するようにしたものは知られている（例えば、特許文献１参照。）。
【０００３】
【特許文献１】
特開２００１−９４２８号公報（第３，４頁、図１乃至６）
【０００４】
【発明が解決しようとする課題】
しかし、従来は平板状のフィルターをそのまま排気経路に臨ませているため、粉塵の捕集面積が少なく早期に目詰まりを生じてしまい、度々フィルターの掃除を行ったり、新しいものと交換する必要があった。
また、これを防止すべく捕集面積を大きくした広い面積のフィルターを用いると、これを装着するフィルター装置も大きくなってしまい、生ゴミ処理機自体が必要以上に大型化するという不具合があった。
本発明の目的は、上記従来技術の不具合を改善する点にある。
【０００５】
【課題を解決するための手段】
上記目的を達成するため、本発明においては、周面に通気孔を有する円筒状の枠体の外周に、円筒又は平板状のフィルターを装着又は円筒状に巻き付けて、処理槽から排気ファンによって機外に排出される排気中の粉塵等を、当該フィルターによって捕集することを特徴とする。
【０００６】
【発明の実施の形態】
以下、本発明の実施の形態の一例を図面に基づいて説明する。
図１〜５は本発明の生ゴミ処理機の全体構造の概略を示すものであって、図１は生ゴミ処理機の正面図、図２は平面図、図３は左側面図、図４は右側面図、図５は背面図を示す。
先ず、図１において、１は矩形状に構成された生ゴミ処理機の機体、２は機体１の上部に設けた生ゴミの投入口３を塞ぐ蓋であって、蓋２の左右両側端部と機体１との間には、図４に示すように蓋２の開閉を保持するガススプリング４，４が備えられている。
一方、機体１の下部には、生ゴミを分解させる微生物を培養する担体、乃至は生ゴミの残渣を定期的に交換するための取出口５が設けられている。
【０００７】
また、機体１内には図４に示すように、生ゴミ処理機の本体としての左右方向に略円筒形の処理槽７が設けられ、その中心部には上記処理槽７の左右端部の内部側壁１Ａ，１Ａ（図１，２，５参照）に回転自在に支持された回転軸８が設けられている。また、回転軸８には複数の攪拌羽根９・・・が固着されており、この回転軸８は、機体１の一端に設けたモーター１０と減速装置１１によって回転駆動される。
【０００８】
更に、１３は、処理槽７上部の機体１内の空間に備えられた送気ポンプであって、送気ポンプ１３は機体１の一方の側壁上部に設けた外部空気取入口１４から外気を取入れ、また、ホース１５を介して処理槽７下部の送気口１６から処理槽７内に送気し、それにより生ゴミの分解処理を促進させるようにしている。
なお、両内部側壁１Ａ，１Ａには、パンチングメタル１７，１７で構成された空気の流通口を設けており、処理槽７の上部にも外気が流入するように構成されている。
【０００９】
一方、排気について説明すると、処理槽７内の空気は、排気ファンとしてのブロワ１８（図２，５参照）により、図２において矢印で示す如く処理槽７上部の排気取出口１９（図４参照）より吸入され、管２０Ａ内を通って反対側の端部にあるフィルターボックス２１に入り、該フィルターボックス２１の中央に備えられた円筒形状のフィルター２２により排気中の粉塵等が捕集され、更に管２０Ｂを通って排出ブロワ１８に至り、機体１の背面に設けられた排気口２３より機外に排出されるようになっている。
なお、上記フィルターボックス２１の外壁に設けた蓋２４は、フィルター２２を新しいものと交換したり、フィルター２２の掃除をするためのメンテナンス用のものであり、蓋２４は複数のビス２４ａ・・・で外壁に装着されており、ビス２４ａ・・・を取り外せば、蓋２４を外してフィルター２２のメンテナンスをすることができる。
【００１０】
次に、フィルターボックス２１の詳細を図６に基づいて説明すると、（ａ）  はフィルターボックス２１の正面図、（ｂ）  は左側面図、（ｃ）  は平面図を夫々示す。
即ち、フィルターボックス２１内には、その略中央部にパンチングメタルで構成され、周面に通気孔を有する円筒状の枠体２６が配設されており、枠体２６は側板２６ａを介して複数の緊締具２６ｂ・・・によりフィルターボックス２１の側壁２１ａに固着されている。また、枠体２６の先端側は、管２０Ｂの取付けのためにフィルターボックス２１の外部に若干突出させている。
【００１１】
そして、この場合にフィルター２２は平板状のものが用いられ、フィルター２２を枠体２６に取付ける際には、フィルターボックス２１内に位置する枠体２６の外周にこれと略同一幅に構成されたフィルター２２を巻き付け、一巻きしてその合せ目２２ａが側部にあるフィルター取付プレート２７側に来るようにする。
そして、両側壁２１ａ，２１ａの支点ピン２７ａ，２７ａを中心として回動自在なフィルター取付プレート２７をフィルター２２側に回動して、フィルター２２の合せ目２２ａをフィルター取付プレート２７によって押圧すると、フィルター２２がその弾力により枠体２６とフィルター取付プレート２７との間で保持されるようになっている。
従って、図６（ａ）の側面視でフィルターの厚さをｌとし、枠体２６の外端とフィルター取付プレート２７間の距離をＬとすると、両者の関係は（ｌ×２＞Ｌ）に設定してある。
なお、符号２７ｂは、フィルター取付プレート２７の中央部に設けた把手であり、フィルター取付プレート２７を左右両端部を支点として上下に回動する際に使用するものである。そして、フィルターボックス２１の底部全面には粉塵の受皿２８を備えるものである。
【００１２】
また、フィルターボックス２１の吸排気系について説明すると、フィルターボックス２１の側壁２１ｂには、吸気側の管２０Ａの取付管２０ａが複数の緊締具２０ｂ・・・により固定されており、管２０Ａを取付管２０ａの一端に嵌入して取付バンド２０ｃでその周囲を締付けることにより、管２０Ａは取付管２０ａに連結されるものである。
一方、排気側の管２０Ｂは、前述のように枠体２６のフィルターボックス２１より突出した部分に管２０Ｂを嵌入して、取付バンド２６ｃでその周囲を締付けることにより連結されるものである。
【００１３】
従って、処理槽７内の空気は、吸気側の管２０Ａからフィルターボックス２１内に導入され、また、フィルター２２を通過して、円筒状の枠体２６の内部から管２０Ｂを通って排気される。また、この間において排気中の粉塵等はフィルター２２に付着し、或いは受皿２８に堆積する。
この場合、フィルター２２は円筒状の枠体２６の外周に巻き付けて円筒状となすので、フィルター２２の表面積を多く取れて、フィルター２２の捕集性能が向上し、長時間にわたって目詰まりが防止される。しかも、円筒状にフィルター２２をなすので、これを内蔵するフィルターボックス２１自体をも小型化できる利点を有するものである。
なお、受皿２８に堆積する粉塵等は、蓋２４を外して受皿２８ごと取り出せば良く、また、フィルター２２を新しいものと交換したり、フィルター２２を掃除する際には、蓋２４側からフィルター取付プレート２７の把手２７ｂを握りフィルター取付プレート２７をフィルター２２の保持係止位置から回動してフィルター２２の保持を外す丈で容易にフィルター２２を取り外すことが出来る。
また、フィルター取付プレート２７は、フィルター２２の保持係止状態ではフィルター２２の厚みによる弾力により、フィルター取付プレート２７自身も同時に保持されることとなる。
【００１４】
次に、図７に基づいてフィルターの他例について説明する。
即ち、図７（ａ）は、フィルター２２Ａを装着したフィルターボックスの平面図、（ｂ）は右側面図、（ｃ）は正面図であって、前記第１実施例と大きく異なる点は、フィルター２２Ａを予め円筒形状に形成して、このフィルター２２Ａを枠体２６に、排気用の管２０Ｂの反対側の側方より抜き差し出来るようにしたものである。
従って、これによれば、枠体２６へのフィルター２２Ａの着脱に当たっては、抜き差しだけで容易に着脱が出来、フィルター２２保持係止用のフィルター取付プレート２７も不要となり、フィルターボックス２１も一層小型化出来る効果を奏するものである。
【００１５】
次に、前述したガススプリング４の詳細を、図８に基づいて説明する。
即ち、図８（ａ）は要部の拡大側面図であり、（ｂ）は図８（ａ）のＸ矢視図であって、図（ｂ）で明白なように、左右のガススプリング４，４は、蓋２より内側で生ゴミ投入口３の外側に装着されており、そのためガススプリング４，４は、処理槽７内の高温多湿の雰囲気を直接的に影響を受けず、しかも、雨風の影響をも直接的に受けないので、錆等による腐食が防止され、耐久性の面で有利となるものである。
なお、符号３０は、蓋２上部の兆番３１，３１を支点として、蓋２を図（ａ）の矢印に沿って上下に開閉する際の手掛けである。
【００１６】
また、図９は、機体１正面のカバーの取付け状態の詳細を示すもので、機体１の正面にあるカバー３２の取付けを工夫することにより、取付けボルトの使用本数を少なくするように構成したもので、図９（ａ）は正面図、（ｂ）（ｃ）（ｄ）は、図９（ａ）の夫々、Ｘ−Ｘ，Ｙ−Ｙ，Ｚ−Ｚ矢視図である。
即ち、図９（ｂ）では、カバー３２に隣接する左右両側面のフレーム３３及び３４との間にパッキン３５を介在させて両者を密着させたものであり、また、図９（ｃ）では、カバー３２とフレーム３６とを連結部分で折曲させて、その凹部において両者をビス３７で止着したものであり、更に、図９（ｄ）では、カバー３２の下端に穴を穿ち、この穴を下方のフレーム３８に固定したピン３９の頭部に挿入することによりカバー３２の位置決めを行ったものである。
従って、これらにより従来のものに比し、取付け用のビスの本数が減少し、取付け取外しが容易となるばかりか、取付け用の緊締具がカバー面より前方に突出しないため、機体１の寸法も稍小さくなると共に、美観も良くなる。
【００１７】
更に、処理槽７について図示していないが、内側に弾性体の内壁を取付けて、二重構造になし、それにより攪拌羽根９・・・を回転させると、上記弾性体の内壁が動かされて、従来装置で見られた生ゴミの処理槽７壁面での固着がなくなり攪拌抵抗の増大を抑えることが出来る。
また、前記弾性体と処理槽７の内壁との間に定期的に空気の送り込み、また、排気を繰り返えして元の形に戻すことにより、風船の如く膨らむ構造として上記弾性体の側面への生ゴミの固着を防止することも考えられる。
【００１８】
更にまた、従来、生ゴミ処理機の担体として、オガクズ等の木チップ又はポリプロピレン材等を使用していたが、これらの場合には、定期的なメンテナンスを必要とし、前者の場合には全量の交換が必要であり、後者の場合でも、残渣と分離して再度の利用は出来るが、使用不可となった時にそれの処分に問題があったが、これらに代えてクルミの殻を採用すると、ポリプロピレン材と同様に、残渣と分離して再度の利用が出来るばかりか、使用不可となった場合でも、焼却処理が出来るものである。
【００１９】
【発明の効果】
本発明は上述のように、周面に通気孔を有する円筒状の枠体２６の外周に、円筒又は平板状のフィルター２２を装着又は円筒状に巻き付けて、処理槽７から排気ファン１８によって機外に排出される排気中の粉塵等を、当該フィルター２２によって捕集するように構成したので、長期にわたって目詰まりの生じないフィルター装置を提供することができると共に、フィルターボックス２１自体も小型化し得て、生ゴミ処理機をコンパクトに構成することができる。
また、フィルター２２を平板状のものとなし、これを枠体２６の外周に巻き付けて構成する場合は、規格化された専用のフィルターを必要とせず、適宜の大きさの資材から平板を切り出す等して簡単にフィルター２２を作成することができる。
【図面の簡単な説明】
【図１】生ゴミ処理機の正断面図である。
【図２】同上平断面図である。
【図３】同上左側断面図である。
【図４】同上右側断面図である。
【図５】同上背断面図である。
【図６】フィルターボックスの要部の断面を示し、（ａ）  は正面図、（ｂ）  は左側面図、（ｃ）  は平面図である。
【図７】フィルターの他例を示すフィルターボックスの断面を示し、（ａ）は平面図、（ｂ）は右側面図、（ｃ）は正面図である。
【図８】ガススプリングの詳細を示し、（ａ）は要部の拡大側面図、（ｂ）は（ａ）のＸ矢視図である。
【図９】機体正面のカバー部分の取付け状態の詳細を示し、（ａ）は正面図、（ｂ）はＸ−Ｘ矢視図、（ｃ）はＹ−Ｙ矢視図、（ｄ）はＺ−Ｚ矢視図である。
【符号の説明】
１  機体
７  処理槽
１３  送気ポンプ
１４  外部空気取入口
１６  送気口
１８  排気ファン
１９  排気取出口
２１  フィルターボックス
２２  フィルター
２３  排気口
２６  枠体
２７  フィルター取付けプレート
【図１】
2004267921.tif 000003
【図２】
2004267921.tif 000004
【図３】
2004267921.tif 000005
【図４】
2004267921.tif 000006
【図５】
2004267921.tif 000007
【図６】
2004267921.tif 000008
【図７】
2004267921.tif 000009
【図８】
2004267921.tif 000010
【図９】
2004267921.tif 000011